(57)【要約】【課題】多くの広告宣伝情報を提供できるとともに、消費者の関心を引きつけより効率的な広告宣伝効果を奏することができるポケット型ティッシュを提供する。【解決手段】ティッシュペーパーと、折り畳まれた複数枚の前記ティッシュペーパーを積層して収納する袋体２と、袋体２に収容された広告宣伝用の広告部材６とを有するポケット型ティッシュ１において、袋体２は、内部が透視できる窓部８を有し、広告部材は、窓部８を介して外部から視認可能な表紙部７と、表紙部と一体に設けられ外部から視認不可能な広告情報が印刷された複数の広告面を備えたメッセージ部を有している。そして、広告部材６は、袋体２から取り出した場合にメッセージ部の複数の広告面を見ることができるように冊子状に構成されている。これにより、多くの広告宣伝情報を提供できるとともに、消費者の関心を引きつけより効率的な広告宣伝効果を奏することができる。【選択図】      図２
0003104166.tif 000002
【実用新案登録請求の範囲】
【請求項１】
ティッシュペーパーと、折り畳まれた複数枚の前記ティッシュペーパーを積層して収納する袋体と、当該袋体に収容された広告宣伝用の広告部材とを有するポケット型ティッシュにおいて、
前記袋体は、内部が透視できる窓部を有し、
前記広告部材は、前記窓部を介して外部から視認可能な表紙部と、
当該表紙部と一体に設けられ外部から視認不可能な広告情報が印刷された複数の広告面を備えたメッセージ部とを有しており、
当該広告部材は、前記袋体から取り出した場合に前記メッセージ部の複数の広告面を見ることができるように冊子状に構成されたことを特徴とするポケット型ティッシュ。
【請求項２】
前記広告部材は、複数葉の用紙を積層し、当該用紙の見開き中央位置を綴じられて冊子状に構成されたことを特徴とする請求項１に記載のポケット型ティッシュ。
【請求項３】
前記広告部材は、シート状部材が折り曲げられて形成されたことを特徴とする請求項１又は請求項２に記載のポケット型ティッシュ。
【請求項４】
前記広告部材は、前記シート状部材が山折りと谷折りを交互に繰り返して折り曲げられて蛇腹状に形成されたことを特徴とする請求項３に記載のポケット型ティッシュ。
【請求項５】
前記表紙部は、折り畳まれた前記ティッシュペーパーと略同一形状であることを特徴とする請求項１乃至請求項４のいずれか１項に記載のポケット型ティッシュ。
【請求項６】
前記表紙部は、外部から視認されやすい着色若しくは視認容易な大きさの文字とを備えたアイキャッチ部と、
当該広告部材の外部から視認不可能なメッセージ部の内容を表示する誘導部とを備えたことを特徴とする請求項１乃至請求項５のいずれか１項に記載のポケット型ティッシュ。
【請求項７】
前記アイキャッチ部は、割引情報、漫画、くじ、外部から視認不可能な内部の複数の広告面に記載されている内容を示唆する見出し等を表示することを特徴とする請求項６に記載のポケット型ティッシュ。
【請求項８】
前記表紙部には、広告依頼主の名称、ロゴマーク、電話番号、キャッチフレーズ、割引情報のうち少なくとも１つの広告情報が印刷されていることを特徴とする請求項１乃至請求項７のいずれか１項に記載のポケット型ティッシュ。
【請求項９】
前記袋体は透明又は半透明であって、前記広告部材は前記袋体の最も外面側に位置するように前記ティッシュペーパーと共に前記袋体の中に収納されることを特徴とする請求項１乃至請求項８のいずれか１項に記載のポケット型ティッシュ。
【請求項１０】
前記袋体には、開口部を有し前記広告部材を収納するための外側ポケットが形成されており、前記広告部材は前記開口部から抜き差し可能とされていることを特徴とする請求項１乃至請求項８のいずれか１項に記載のポケット型ティッシュ。
【請求項１１】
前記広告部材は、定期的に発行される情報誌を模したミニチュアの冊子として形成されていることを特徴とする請求項１乃至請求項１０のいずれか１項に記載のポケット型ティッシュ。
【考案の詳細な説明】
【技術分野】
【０００１】
本考案は、ポリプロピレン等で形成される薄い袋体の中に、折り畳まれた複数枚のティッシュペーパーを積み重ねて収納するポケット型ティッシュに係り、詳しくは広告宣伝用の広告部材を有するものに関する。
【背景技術】
【０００２】
飲食店や美容院、マッサージ、遊技施設等の事業を営む上で種々の広告宣伝競争が行われている。例えば、飲食店であれば、お薦めメニューや割引クーポンを印刷したチラシを街頭で直接消費者に配布したり、チラシと共に試供品や粗品を利用して、道行く人の興味をそそるようにしているものもある。その中で、ポケット型ティッシュは、製造単価が安く、またティッシュペーパーは誰にでも需要のあるものであるため消費者に受け取って貰いやすく、広告用に配布されるケースが多い。
【０００３】
このポケット型ティッシュは、ポリプロピレン等を材質とした薄い半透明や透明の袋体の中に、ティッシュペーパーと共にチラシを収納したり、同様のチラシを袋体の表面に形成される外側ポケットに挿入したりして広く利用されている。最近では、より広告宣伝効果を高めるために多くの情報を提供できるよう、広告面を広くとれるＢ５やＡ４サイズ等の大きな紙一面に広告を付し、それを折り畳んでポケット型ティッシュに添付する例もある（特許文献１参照）。
【特許文献１】登録実用新案第３０９３０５０号公報（請求項１、図１）
【考案の開示】
【考案が解決しようとする課題】
【０００４】
しかしながら、ポケット型ティッシュは受け取っては貰えるが、添付されたチラシは通常は、ざっと目を通されるものの広告主の意図に反してそのまま廃棄されるケースがほとんどであった。また、街頭配布の場合には、ポケット型ティッシュを無理やり押し付けられるように感じ、嫌悪感を抱く消費者も多く、ましてやチラシの内容に目を通そうなどとしないことも多々であった。つまり、チラシをポケット型ティッシュに添付する手間や配布するための人件費等、多くの費用を費やしても、消費者がその添付されたチラシを見てみよう、そして広告されている商品を利用してみようと関心を持たせ魅了するだけの十分な効果が得られていなかった。
【０００５】
よって、上記の問題に鑑み、本考案の目的は、多くの広告宣伝情報を提供できるとともに、消費者の関心を引きつけより効率的な広告宣伝効果を奏することができるポケット型ティッシュを提供することにある。
【課題を解決するための手段】
【０００６】
上記目的を達成するため、請求項１に係るポケット型ティッシュは、ティッシュペーパーと、折り畳まれた複数枚の前記ティッシュペーパーを積層して収納する袋体と、当該袋体に収容された広告宣伝用の広告部材とを有するポケット型ティッシュにおいて、前記袋体は、内部が透視できる窓部を有し、前記広告部材は、前記窓部を介して外部から視認可能な表紙部と、当該表紙部と一体に設けられ外部から視認不可能な広告情報が印刷された複数の広告面を備えたメッセージ部を有しており、当該広告部材は、前記袋体から取り出した場合に前記メッセージ部の複数の広告面を見ることができるように冊子状に構成されたことを要旨とする。
【０００７】
請求項２に係るポケット型ティッシュは、請求項１に記載のポケット型ティッシュにおいて、前記広告部材は、複数葉の用紙を積層し、当該用紙の見開き中央位置を綴じられて冊子状に構成されたことを要旨とする。
【０００８】
請求項３に係るポケット型ティッシュは、請求項１又は請求項２に記載のポケット型ティッシュにおいて、前記広告部材は、シート状部材が折り曲げられて形成されたことを要旨とする。
【０００９】
請求項４に係るポケット型ティッシュは、請求項３に記載のポケット型ティッシュにおいて、前記広告部材は、前記シート状部材が山折りと谷折りを交互に繰り返して折り曲げられて蛇腹状に形成されたことを要旨とする。
【００１０】
請求項５に係るポケット型ティッシュは、請求項１乃至請求項４のいずれか１項に記載のポケット型ティッシュにおいて、前記表紙部は、折り畳まれた前記ティッシュペーパーと略同一形状であることを要旨とする。
【００１１】
請求項６に係るポケット型ティッシュは、請求項１乃至請求項５のいずれか１項に記載のポケット型ティッシュにおいて、前記表紙部は、外部から視認されやすい着色若しくは視認容易な大きさの文字とを備えたアイキャッチ部と、当該広告部材の外部から視認不可能なメッセージ部の内容を表示する誘導部とを備えたことを要旨とする。
【００１２】
請求項７に係るポケット型ティッシュは、請求項６に記載のポケット型ティッシュにおいて、前記アイキャッチ部は、割引情報、漫画、くじ、外部から視認不可能な内部の複数の広告面に記載されている内容を示唆する見出し等を表示することを要旨とする。
【００１３】
請求項８に係るポケット型ティッシュは、請求項１乃至請求項７のいずれか１項に記載のポケット型ティッシュにおいて、前記表紙部には、広告依頼主の名称、ロゴマーク、電話番号、キャッチフレーズ、割引情報のうち少なくとも１つの広告情報が印刷されていることを要旨とする。
【００１４】
請求項９に係るポケット型ティッシュは、請求項１乃至請求項８のいずれか１項に記載のポケット型ティッシュにおいて、前記袋体は透明又は半透明であって、前記広告部材は前記袋体の最も外面側に位置するように前記ティッシュペーパーと共に前記袋体の中に収納されることを要旨とする。
【００１５】
請求項１０に係るポケット型ティッシュは、請求項１乃至請求項８のいずれか１項に記載のポケット型ティッシュにおいて、前記袋体には、開口部を有し前記広告部材を収納するための外側ポケットが形成されており、前記広告部材は前記開口部から抜き差し可能とされていることを要旨とする。
【００１６】
請求項１１に係るポケット型ティッシュは、請求項１乃至請求項１０のいずれか１項に記載のポケット型ティッシュにおいて、前記広告部材は、定期的に発行される情報誌を模したミニチュアの冊子として形成されていることを要旨とする。
【考案の効果】
【００１７】
請求項１に記載の考案によれば、多くの広告宣伝情報を提供できるとともに、消費者の関心を引きつけより効率的な広告宣伝効果を奏することができる。
請求項２に記載の考案によれば、広告部材の構成が簡単になり、広告部材の作成作業を容易に行うことができる。
【００１８】
請求項３に記載の考案によれば、シート状部材である用紙等を折り曲げることにより簡単に冊子状の広告部材を作成することができる。
請求項４に記載の考案によれば、シート状部材である用紙等を山折りと谷折りを交互に繰り返して折り曲げることにより簡単に冊子状の広告部材を作成することができる。
【００１９】
請求項５に記載の考案によれば、表紙部が折り畳まれたティッシュペーパーと略同一形状であるため、ポケット型ティッシュという小さな限られたスペースの中で最大限のスペースを利用して広告宣伝することができる。
【００２０】
請求項６に記載の考案によれば、消費者がポケット型ティッシュを受け取った際に、アイキャッチ部が消費者の目をぱっと引くため、広告に対してより興味をもたせることができる。
【００２１】
請求項７に記載の考案によれば、アイキャッチ部によって、消費者にさらに広告部材の外部から視認不可能な内部の広告面に対して興味を抱かせることができる。
請求項８に記載の考案によれば、表紙部によって、消費者に広告部材や広告部材の内部の広告面に対して興味を抱かせることができる。
【００２２】
請求項９に記載の考案によれば、透明又は半透明の袋体を介して外部から広告部材を視認可能な構成とすることができる。
請求項１０に記載の考案によれば、外側ポケットに広告部材を抜き差し可能に収納することができる。
【００２３】
請求項１１に記載の考案によれば、情報誌のミニチュア版の広告部材に消費者の興味を抱かせ、ポケット型ティッシュを受け取って貰いやすくすることができる。
【考案を実施するための最良の形態】
【００２４】
以下、本考案を具体化した一実施形態を図１〜図８にしたがって説明する。
（第１の実施形態）
まず、第１の実施形態について図１〜図４にしたがって説明する。図１は、本実施形態のポケット型ティッシュの全体斜視図である。図１に示すように、ポケット型ティッシュ１（以下、単に「ティッシュ」ともいう。）は、平面視略長方形形状の袋体２の中に、折り畳まれた複数枚のティッシュペーパー３が積層して収納されている。袋体２は、半透明のポリプロピレンフィルム製であって、その表面の中央部にはミシン目４が長手左右方向に亘って形成されている。また、袋体２の左右両端には、ポリプロピレンフィルムを袋状となるようにヒートシール方式によって接着した際のヒートシール部５が形成されている。本実施形態では、ティッシュ１のサイズは、縦１２０ｍｍ×横８３ｍｍ×厚み１０ｍｍとなっている。また、ティッシュペーパー３は、バージンパルプ１００パーセントの紙製で、そのサイズは１枚当り２００ｍｍ×１９８ｍｍである。そして、袋体２内に収納時には、縦１０３ｍｍ×横７３ｍｍのサイズに折り畳まれて、すっぽりと袋体２内に収納されるようになっている。
【００２５】
図２は、図１のティッシュ１を裏面から見た斜視図である。図２に示すように、袋体２内のティッシュペーパー３の最も下側（図１における状態を通常とし、ミシン目４のある表面側を上とする。）には、広告部材６が収納されており、その広告部材６の表紙部７が外側から半透明の袋体２を通して視認できるようになっている。なお、この半透明の袋体２の裏面が、袋体２の内部を透視可能とする窓部８に相当する。また、広告部材６は、折り畳まれたティッシュペーパー３と略同一形状となっている。
【００２６】
図３は、広告部材６の全体斜視図である。図３に示すように、広告部材６は、複数の広告面９を有しており、冊子状に構成されている。この広告部材６は、複数葉の用紙が積層され、積層された用紙の見開き中央部分をホッチキスで綴じられている。このホッチキスによって綴じられた位置は、左右の広告面９の境界に相当する。広告部材６は、いわば本のミニチュア版であって、ブックスタイルの広告媒体となっている。また、この複数の広告面９により本考案のメッセージ部１１が構成されている。そして、このメッセージ部１１は、図１や図２に示す態様では外部から視認不可能となっている。各広告面９には、例えばハンバーガーショップのお薦めメニューや割引クーポン（図３、紙面向って左側の広告面９）、美容院のサービス紹介や割引クーポン（図３、紙面向って右側の広告面９）等、種々の広告情報１０が印刷されている。この広告面９は、広告部材６の全体に亘って形成されており、広告部材６全体としては広告面９×ページ数分の領域に広告情報を記載することができるようになっている。一枚のチラシと比較して格段により多くの広告情報を記載することができる。
【００２７】
図４は、図２に示す広告部材６の表紙部７を正面から見た図である。図４に示すように、外部から視認可能な表紙部７には、広告部材６のタイトル１３（「Ｈｏｔ  情報誌」）、週刊誌形式を示す号番号１４（「○月△号」）、漫画１５、広告部材６の特集内容を示す見出し１６（「新年会スペシャル！居酒屋情報満載！」）（広告情報）等が印刷されている。特に、タイトル１３と見出し１６は、外部から視認されやすい着色（例えば、赤色、黒色等）が施され、また視認容易な大きさの文字となっている。また、見出し１６は、袋体２の中に収納された状態（図２）では外部から視認不可能な広告部材６の内部の各広告面９に記載されている内容を示唆するものである。上記、タイトル１３、漫画１５、見出し１６は、本考案のアイキャッチ部に相当するものであって、消費者がティッシュ１を受け取った際に消費者の目をぱっと引くような効果を狙って構成されたものである。さらに、タイトル１３と見出し１６は、広告部材６の外部から視認不可能なメッセージ部１１の内容を表示し、表紙部７を視認することでメッセージ部１１へ消費者の関心を誘導する誘導部にも相当する。
【００２８】
上記構成のティッシュ１を街頭で配布する際には、ティッシュ１の裏面を上にして広告部材６の表紙部７が見えるようにして配布すれば、道行く人の目を引くことができ、受け取ってもらえる確率が高くなる。また、受け取った後には、表紙部７のアイキャッチ部として印刷されたタイトル１３や漫画１５がさらに消費者の興味を引きつけ、冊子状の広告部材６の内部のメッセージ部１１をも見てみようという気持ちにさせることができる。そして、結果的に、広告部材６の内部の各広告面９に記載された多くの情報を消費者に提供することができ、ティッシュ１は効率的な広告媒体としてその効果を発揮することができる。
【００２９】
また、広告部材６の表紙部７やメッセージ部１１に記載される広告情報１０は、例えば複数の広告主から提供を受けて、飲食店や美容院、遊技施設等の種々のサービスの情報を統括的に記載することにより総合的な情報誌としての効果を奏することができる。そして、定期的に発行する週刊誌のようにして配布すれば、ますます情報誌らしくなり、さらに消費者の関心を引きつけることができる。
【００３０】
上記実施形態によれば、以下のような効果を得ることができる。
（１）ティッシュに添付される通常では一枚のチラシを、冊子状の広告部材６とし、その表紙部７が袋体２の窓部８を通して外部から視認可能な形態となるように構成した。さらに、本実施形態では、まるで情報誌の表紙のようなタイトル１３や漫画１５等のアイキャッチ部や、タイトル１３と見出し１６とが相当する誘導部を設けたため、月刊誌のようでおもしろく、ミニチュア情報誌がティッシュと同時に取得できるというお得感をさらに増し、より一層ティッシュ１を受け取ってもらいやすくすることができる。さらには、消費者自らがもらいに来るということも予想される。特に、各種店舗の割引情報を掲載したＡ４板等の無料配布雑誌は、人気が高く欲しいという消費者が非常に多く需要が高い。よって、その実態から見ても、本実施形態のように、ティッシュに冊子状の広告部材６が添付されていることは、多大な広告宣伝効果を発揮することは明らかである。なお、本実施形態の冊子状の広告部材６そのものがアイキャッチ効果が高いということは言うまでもない。
【００３１】
（２）さらに、冊子状に構成したことにより、複数の広告面９に亘って多くの広告情報を記載することができ、１つのティッシュ１で消費者に対しより多くの情報を提供することができる。ティッシュ１の広告宣伝効果の効率化を図ることができる。
【００３２】
（３）広告情報が印刷された複数の積層された用紙の中央をホッチキスで綴じるという簡単な作業で冊子状の広告部材６を作成することができる。
（４）また、外部から視認可能な表紙部７に、袋体２の中に収納された状態（図２）では見ることができない広告部材６の内部のメッセージ部１１に記載されている内容を示唆する見出し１６を有する。このため、内部の各広告面９にはさらに有益な情報があるのではないかと消費者に期待させ、確実に広告部材６を隅々まで見てもらえるという優れた広告宣伝効果を奏することができる。
【００３３】
（第２の実施形態）
次に、第２の実施形態について図５及び図６にしたがって説明する。本実施形態は、第１の実施形態とほぼ同様であるが、広告部材６の袋体への添付の仕方及び袋体の構成が異なる。以下、第１の実施形態との相違に着目して説明し、第１の実施形態と同一の部材については同一の符号を付して説明する。
【００３４】
図５は、本実施形態のポケット型ティッシュ１７を裏面から見た分解斜視図である。なお、表面から見た態様は第１の実施形態（図１）と同様であるため省略する。また、広告部材６等のその他の構成も第１の実施形態と同様である。図５に示すように、本実施形態の袋体１８は、その裏面に外側ポケット１９を有する。外側ポケット１９は、袋体１８の裏面の横幅の約５分の４程度を占め、外側ポケット１９の開口部２０から広告部材６を抜き差し可能に挿入できるようになっている。なお、本実施形態では、冊子状の広告部材６を抜き出しやすいように、広告部材６の背面部２１（ホッチキスで綴じられている部分に相当する。）が取り出し側となるように挿入されている。さらに、第１の実施形態と同様に、広告部材６の表紙部７が半透明の袋体１８を通して外部から視認できるようになっている。すなわち、本実施形態では、半透明な外側ポケット１９が本考案の窓部に相当する。
【００３５】
図６は、外側ポケット１９に広告部材６が挿入された配布時の態様を示す図である。図６に示すように、外側ポケット１９は広告部材６を収納するのに十分な横幅を有しているため、広告部材６は外側ポケット１９内に安定して収納されている。また、ティッシュ１７を受け取った消費者は、広告部材６の背面部２１を指で掴んで開口部２０から容易に広告部材６を取り出すことができる。
【００３６】
上記構成によれば、第１の実施形態における効果に加えて、さらに以下のような効果を得ることができる。
（５）広告部材６を袋体１８の裏面に形成される外側ポケット１９に挿入することにより構成されるため、広告部材６を簡単にティッシュ１７として添付することができる。
【００３７】
（６）さらに、広告部材６の抜き差しが可能であるため、広告部材６の差し替えや追加の際に便利である。
（７）また、ティッシュ１７を受け取った消費者は、ティッシュペーパーを使用前にすぐに外側ポケット１９から広告部材６のみを取り出すことができ、広告部材６の内部のメッセージ部１１の内容を確認したい消費者にとって好適な態様とすることができる。
【００３８】
（８）また、広告部材６の背面部２１が取り出し側となるように挿入されているため、ばらばらになりやすいページ側でなくまとまった背面部２１からスムーズに広告部材６を取り出すことができる。
【００３９】
（第３の実施形態）
次に、第３の実施形態について図７にしたがって説明する。本実施形態は、第１及び第２の実施形態における広告部材６の変形であって、袋体２（図２）、袋体１８（図６）にそれぞれ適用できるものである。よって、ここでは広告部材について異なる構成のみを説明する。なお、第４の実施形態についても同様である。
【００４０】
図７は、本実施形態の広告部材２３をその作成態様から示す図である。図７に示すように、広告部材２３は、シート状部材としての１枚のＡ４サイズの用紙２３ａから形成されている。その作成態様から説明する。なお、図７の各図において、用紙２３ａに付された番号（１〜８）は、冊子状に出来上がった広告部材２３のページ番号を示す。まず、図７（ａ）に示すように、１枚の用紙２３ａを長手方向に３回折り畳んで用紙を８面に分割する。そして、長手方向の折り目のうち中央２面分に相当する部分（図７太線）に切り込みを入れ、各折り目で山折り（一点鎖線）と谷折り（破線）をして（図７（ｂ））、最終的に図７（ｃ）に示すような８ページ（図７（ａ）中、番号１で示すページは表紙部に相当し、その他の各ページが広告面２４に相当する。）を有する冊子状の広告部材２３を作成する。なお、簡単のため、表紙部や各広告面に印刷される種々の印刷表示は省略してあるが、第１及び第２の実施形態と同様に各種印刷が施されているものである。
【００４１】
以上のように、本実施形態によれば、１枚の用紙のみで簡単に冊子状の広告部材２３を作成することができる。また、ホッチキスの芯等も必要なく、簡易な構成とすることができる。
【００４２】
（第４の実施形態）
次に、第４の実施形態について図８にしたがって説明する。本実施形態についても第３の実施形態と同様に広告部材のみについて説明する。図８は、本実施形態の広告部材２５を示す斜視図である。図８に示すように、広告部材２５は、１枚の横長の紙が山折りと谷折りを交互に繰り返して折り曲げられて蛇腹状に形成されている。なお、図８では、その構成がより明確になるように横に広がった態様を示しているが、ティッシュに添付される際には横方向が押し縮められて冊子状となり袋体に収納されるものである。なお、本実施形態においても第３の実施形態と同様に簡単のため、表紙部や各広告面に印刷される種々の印刷表示は省略してあるが、第１及び第２の実施形態と同様に各種印刷が施されているものである。
【００４３】
このように構成された広告部材２５においても、山折りされた部分をめくっていくことにより各広告面２６を順次見ることができる。第３の実施形態と比較して、広告部材２５をさらに簡単な構成とすることができる。
【００４４】
なお、上記実施形態は以下のように変更してもよい。
・第３及び第４の実施形態では、例として１枚の用紙から構成されるようにしたが、これを複数枚合わせてページ数の多い冊子にしても良い。この構成によれば、記載される広告情報量を増大させることができる。
【００４５】
・前記広告部材は、単純に１枚の紙を切り込みも入れずに例えば２つ折りや４つ押折りにして冊子状にしてもよい。この構成によれば、さらに広告部材作成の手間が軽減される。
【００４６】
・また、広告部材は、完全な本として市販される製本の形態で構成することができることはもちろんである。要は、広告部材が冊子状に構成されていることが、アイキャッチ効果的に有効であるため、冊子状に構成できればその他種々の構成をとることができる。
【００４７】
・ティッシュ１の配布の仕方は街頭配布に限らず、所定の場所にボックスを設置して消費者が自由に持ち帰ることができるようにしても良い。この場合、広告内容に興味のある人物に確実にティッシュを提供することができ、広告宣伝効率を高めることができる。
【００４８】
・外部から視認可能な表紙部７には、図９に示すように、例えば、広告依頼主の名称２７、ロゴマーク２８、割引情報２９、くじ３０、キャッチフレーズ３１、問い合わせ電話番号３２、クーポン券３３等を印刷表示してもよい。特に、ロゴマーク２８やくじ２９、クーポン券３３等は、広告情報であると共に、消費者の広告部材への期待や興味を煽るアイキャッチ部としての効果を奏することができる。
【図面の簡単な説明】
【００４９】
【図１】第１の実施形態におけるポケット型ティッシュの全体斜視図。
【図２】図１のポケット型ティッシュを裏面から見た斜視図。
【図３】広告部材の全体斜視図。
【図４】図２に示す広告部材の表紙部７を正面から見た図。
【図５】第２の実施形態のポケット型ティッシュを裏面から見た分解斜視図。
【図６】外側ポケットに広告部材６が挿入された配布時の態様を示す図。
【図７】（ａ）〜（ｃ）は、第３の形態の広告部材をその作成態様から示す図。
【図８】第４の実施形態における広告部材を示す斜視図。
【図９】別な実施形態における広告部材の表紙部を正面から見た図。
【符号の説明】
【００５０】
１，１７…ポケット型ティッシュ（ティッシュ）、２，１８…袋体、３…ティッシュペーパー、６，２３，２５…広告部材、７…表紙部、８…窓部、９，２４，２６…広告面、１０…広告情報、１１…メッセージ部、１３…タイトル（アイキャッチ部、誘導部）、１５…漫画（アイキャッチ部）、１６…見出し（アイキャッチ部、誘導部）、１９…外側ポケット、２０…開口部、２３ａ…用紙、２７…広告依頼主の名称（広告情報）、２８…ロゴマーク（広告情報、アイキャッチ部）、２９…割引情報（広告情報、アイキャッチ部）、３０…くじ（広告情報、アイキャッチ部）、３１…キャッチフレーズ（広告情報、アイキャッチ部）、３２…電話番号（広告情報）、３３…クーポン券（広告情報、アイキャッチ部）。
【図１】
0003104166.tif 000003
【図２】
0003104166.tif 000004
【図３】
0003104166.tif 000005
【図４】
0003104166.tif 000006
【図５】
0003104166.tif 000007
【図６】
0003104166.tif 000008
【図７】
0003104166.tif 000009
【図８】
0003104166.tif 000010
【図９】
0003104166.tif 000011